【手続補正書】
【提出日】平成21年10月20日(2009.10.20)
【手続補正１】
【補正対象書類名】特許請求の範囲
【補正対象項目名】全文
【補正方法】変更
【補正の内容】
【特許請求の範囲】
【請求項１】
複数のプロセッサを含む複数の処理モジュールと、当該各処理モジュール相互のデータ通信を中継するリング型バスと、を備えるマルチプロセッサシステムであって、
前記複数のプロセッサのうちの一部のプロセッサと、当該一部のプロセッサのいずれかをそれぞれ指定する複数のプロセッサ指定情報と、を関連づけるテーブルを記憶するテーブル記憶手段と、
前記複数のプロセッサのうち、障害を有する少なくとも一つの障害プロセッサを特定する障害プロセッサ特定手段と、
前記障害プロセッサの前記リング型バスに対する接続位置に応じて、前記各プロセッサ指定情報が前記障害プロセッサを除く前記複数のプロセッサのうちのいずれかのプロセッサを指定するように、前記テーブルを生成するテーブル生成手段と、
を含み、
前記一部のプロセッサのそれぞれは、複数の所定処理を含むとともに、当該各所定処理がそれぞれ前記プロセッサ指定情報のいずれかに関連づけられてなるアプリケーションプログラム、及び前記生成されたテーブルに基づいて、当該プロセッサを指定する前記プロセッサ指定情報に関連づけられた前記所定処理を実行する
ことを特徴とするマルチプロセッサシステム。
【請求項２】
請求項１に記載のマルチプロセッサシステムにおいて、
前記テーブル生成手段は、前記障害プロセッサを除く前記各プロセッサの前記リング型バスに対する接続位置に応じて、前記障害プロセッサを除く前記複数のプロセッサの中から前記各プロセッサ指定情報が指定するプロセッサを決定する
ことを特徴とするマルチプロセッサシステム。
【請求項３】
請求項２に記載のマルチプロセッサシステムにおいて、
前記テーブル生成手段は、前記障害プロセッサを除く前記各プロセッサの前記リング型バスに対する接続位置と、前記複数の処理モジュールのうちの所定の処理モジュールの前記リング型バスに対する接続位置と、の位置関係に応じて、前記障害プロセッサを除く前記複数のプロセッサの中から前記各プロセッサ指定情報が指定するプロセッサを決定する
ことを特徴とするマルチプロセッサシステム。
【請求項４】
複数のプロセッサを含む複数の処理モジュールと、当該各処理モジュール相互のデータ通信を中継するリング型バスと、を備えるマルチプロセッサシステムの制御方法であって、
前記複数のプロセッサのうち、障害を有する少なくとも一つの障害プロセッサを特定するステップと、
前記複数のプロセッサのうちの一部のプロセッサと、当該一部のプロセッサのいずれかをそれぞれ指定する複数のプロセッサ指定情報と、を関連づけるテーブルを、前記障害プロセッサの前記リング型バスに対する接続位置に応じて、前記各プロセッサ指定情報が前記障害プロセッサを除く前記複数のプロセッサのうちのいずれかのプロセッサを指定するように生成するステップと、
を含み、
前記一部のプロセッサのそれぞれは、複数の所定処理を含むとともに、当該各所定処理がそれぞれ前記プロセッサ指定情報のいずれかに関連づけられてなるアプリケーションプログラム、及び前記生成されたテーブルに基づいて、当該プロセッサを指定する前記プロセッサ指定情報に関連づけられた前記所定処理を実行する
ことを特徴とするマルチプロセッサシステムの制御方法。
【請求項５】
複数のプロセッサを含む複数の処理モジュールと、当該各処理モジュール相互のデータ通信を中継するリング型バスと、を備えるマルチプロセッサシステムにより実行されるプログラムであって、
前記複数のプロセッサのうち、障害を有する少なくとも一つの障害プロセッサを特定する障害プロセッサ特定手段、及び
前記複数のプロセッサのうちの一部のプロセッサと、当該一部のプロセッサのいずれかをそれぞれ指定する複数のプロセッサ指定情報と、を関連づけるテーブルを、前記障害プロセッサの前記リング型バスに対する接続位置に応じて、前記各プロセッサ指定情報が前記障害プロセッサを除く前記複数のプロセッサのうちのいずれかのプロセッサを指定するように生成するテーブル生成手段、
として前記マルチプロセッサシステムを機能させ、
前記一部のプロセッサのそれぞれは、複数の所定処理を含むとともに、当該各所定処理がそれぞれ前記プロセッサ指定情報のいずれかに関連づけられてなるアプリケーションプログラム、及び前記生成されたテーブルに基づいて、当該プロセッサを指定する前記プロセッサ指定情報に関連づけられた前記所定処理を実行する
ことを特徴とするプログラム。
【請求項６】
請求項５に記載のプログラムを記憶したコンピュータ読み取り可能な情報記憶媒体。
【請求項７】
複数のプロセッサを含む複数の処理モジュールと、当該各処理モジュール相互のデータ通信を中継するリング型バスと、を備えるマルチプロセッサシステムであって、
前記複数のプロセッサのうちの一部のプロセッサと、当該一部のプロセッサのいずれかをそれぞれ指定する複数のプロセッサ指定情報と、を関連づけるテーブルであって、前記複数のプロセッサ指定情報のそれぞれが、障害を有する少なくとも一つの障害プロセッサの前記リング型バスに対する接続位置に応じて決まる、前記障害プロセッサを除く前記複数のプロセッサのうちのいずれかのプロセッサを指定するテーブルを記憶するテーブル記憶手段を含み、
前記一部のプロセッサのそれぞれは、複数の所定処理を含むとともに、当該各所定処理がそれぞれ前記プロセッサ指定情報のいずれかに関連づけられてなるアプリケーションプログラム、及び前記テーブルに基づいて、当該プロセッサを指定する前記プロセッサ指定情報に関連づけられた前記所定処理を実行する
ことを特徴とするマルチプロセッサシステム。
【請求項８】
複数のプロセッサを含む複数の処理モジュールと、当該各処理モジュール相互のデータ通信を中継するリング型バスと、を備えるマルチプロセッサシステムの制御方法であって、
前記複数のプロセッサのうちの一部のプロセッサと、当該一部のプロセッサのいずれかをそれぞれ指定する複数のプロセッサ指定情報と、を関連づけるテーブルであって、前記複数のプロセッサ指定情報のそれぞれが、障害を有する少なくとも一つの障害プロセッサの前記リング型バスに対する接続位置に応じて決まる、前記障害プロセッサを除く前記複数のプロセッサのうちのいずれかのプロセッサを指定するテーブルを取得するステップと、
前記一部のプロセッサのそれぞれが、複数の所定処理を含むとともに、当該各所定処理がそれぞれ前記プロセッサ指定情報のいずれかに関連づけられてなるアプリケーションプログラム、及び前記テーブルに基づいて、当該プロセッサを指定する前記プロセッサ指定情報に関連づけられた前記所定処理を実行するステップと、
を含むことを特徴とするマルチプロセッサシステムの制御方法。
【手続補正２】
【補正対象書類名】明細書
【補正対象項目名】０００５
【補正方法】変更
【補正の内容】
【０００５】
上記課題を解決するための本発明に係るマルチプロセッサシステムは、複数のプロセッサを含む複数の処理モジュールと、当該各処理モジュール相互のデータ通信を中継するリング型バスと、を備えるマルチプロセッサシステムであって、前記複数のプロセッサのうちの一部のプロセッサと、当該一部のプロセッサのいずれかをそれぞれ指定する複数のプロセッサ指定情報と、を関連づけるテーブルを記憶するテーブル記憶手段と、前記複数のプロセッサのうち、障害を有する少なくとも一つの障害プロセッサを特定する障害プロセッサ特定手段と、前記障害プロセッサの前記リング型バスに対する接続位置に応じて、前記各プロセッサ指定情報が前記障害プロセッサを除く前記複数のプロセッサのうちのいずれかのプロセッサを指定するように、前記テーブルを生成するテーブル生成手段と、を含み、前記一部のプロセッサのそれぞれは、複数の所定処理を含むとともに、当該各所定処理がそれぞれ前記プロセッサ指定情報のいずれかに関連づけられてなるアプリケーションプログラム、及び前記生成されたテーブルに基づいて、当該プロセッサを指定する前記プロセッサ指定情報に関連づけられた前記所定処理を実行することを特徴とする。また、本発明に係る他のマルチプロセッサシステムは、複数のプロセッサを含む複数の処理モジュールと、当該各処理モジュール相互のデータ通信を中継するリング型バスと、を備えるマルチプロセッサシステムであって、前記複数のプロセッサのうちの一部のプロセッサと、当該一部のプロセッサのいずれかをそれぞれ指定する複数のプロセッサ指定情報と、を関連づけるテーブルであって、前記複数のプロセッサ指定情報のそれぞれが、障害を有する少なくとも一つの障害プロセッサの前記リング型バスに対する接続位置に応じて決まる、前記障害プロセッサを除く前記複数のプロセッサのうちのいずれかのプロセッサを指定するテーブルを記憶するテーブル記憶手段を含み、前記一部のプロセッサのそれぞれは、複数の所定処理を含むとともに、当該各所定処理がそれぞれ前記プロセッサ指定情報のいずれかに関連づけられてなるアプリケーションプログラム、及び前記テーブルに基づいて、当該プロセッサを指定する前記プロセッサ指定情報に関連づけられた前記所定処理を実行することを特徴とする。
【手続補正３】
【補正対象書類名】明細書
【補正対象項目名】０００６
【補正方法】変更
【補正の内容】
【０００６】
また、本発明に係るマルチプロセッサシステムの制御方法は、複数のプロセッサを含む複数の処理モジュールと、当該各処理モジュール相互のデータ通信を中継するリング型バスと、を備えるマルチプロセッサシステムの制御方法であって、前記複数のプロセッサのうち、障害を有する少なくとも一つの障害プロセッサを特定するステップと、前記複数のプロセッサのうちの一部のプロセッサと、当該一部のプロセッサのいずれかをそれぞれ指定する複数のプロセッサ指定情報と、を関連づけるテーブルを、前記障害プロセッサの前記リング型バスに対する接続位置に応じて、前記各プロセッサ指定情報が前記障害プロセッサを除く前記複数のプロセッサのうちのいずれかのプロセッサを指定するように生成するステップと、を含み、前記一部のプロセッサのそれぞれは、複数の所定処理を含むとともに、当該各所定処理がそれぞれ前記プロセッサ指定情報のいずれかに関連づけられてなるアプリケーションプログラム、及び前記生成されたテーブルに基づいて、当該プロセッサを指定する前記プロセッサ指定情報に関連づけられた前記所定処理を実行することを特徴とする。また、本発明に係る他のマルチプロセッサシステムの制御方法は、複数のプロセッサを含む複数の処理モジュールと、当該各処理モジュール相互のデータ通信を中継するリング型バスと、を備えるマルチプロセッサシステムの制御方法であって、前記複数のプロセッサのうちの一部のプロセッサと、当該一部のプロセッサのいずれかをそれぞれ指定する複数のプロセッサ指定情報と、を関連づけるテーブルであって、前記複数のプロセッサ指定情報のそれぞれが、障害を有する少なくとも一つの障害プロセッサの前記リング型バスに対する接続位置に応じて決まる、前記障害プロセッサを除く前記複数のプロセッサのうちのいずれかのプロセッサを指定するテーブルを取得するステップと、前記一部のプロセッサのそれぞれが、複数の所定処理を含むとともに、当該各所定処理がそれぞれ前記プロセッサ指定情報のいずれかに関連づけられてなるアプリケーションプログラム、及び前記テーブルに基づいて、当該プロセッサを指定する前記プロセッサ指定情報に関連づけられた前記所定処理を実行するステップと、を含むことを特徴とする。